(57)【特許請求の範囲】
【請求項１】
前端がピボット軸(25)を介し車体フレーム(２)に対し上下揺動自在に支持され、後輪(15)を支持するスイングアーム(４)を備え、
同スイングアーム(４)の上方に着座シート(18)を備え、
内燃機関(81)と交流発電機(83)を内蔵した発電装置(８)を備えるとともに、
前記発電装置(８)の発電電力によるバッテリ(６)の蓄電電力で、走行駆動モータ(７)が前記後輪(15)を走行駆動するスクータ型電動二輪車において
前記スイングアーム(４)に前記走行駆動モータ(７)と前記発電装置(８)が位置し、
前記走行駆動モータ(７)は前記スイングアーム(４)に取付けられ、
前記ピボット軸(25)の後方の前記スイングアーム(４)の上面は、前記発電装置(８)が取付けられる平坦部(３)を有し、
前記発電装置(８)は、前記着座シート(18)の下方で前記スイングアーム(４)上面に取付けられ、
前記バッテリ(６)と同バッテリ(６)に接続するパワーコントロールユニット(61)は、前記車体フレーム(２)において前記ピボット軸(25)の支持部(24)を有するロアフレーム(22，22)上に搭載されたことを特徴とするスクータ型電動二輪車。  
【請求項２】
側面視で、前記ピボット軸(25)と、前記スイングアーム(４)の上方に位置する前記車体フレーム(２)のシートレール(23)の後部でリヤクッション(17)が接続するブラケット(23ａ)と、前記スイングアーム(４)の後端部(41)とに囲まれた空間に、前記発電装置(８)が取付けられたことを特徴とする請求項１に記載のスクータ型電動二輪車。  
【請求項３】
前記スイングアーム(４)は、前記平坦部(３)の後方と車両幅方向一方側とに立壁(44、45)を備え、前記平坦部(３)の前方と車両幅方向他方側は立壁を備えず平坦であることを特徴とする請求項２に記載のスクータ型電動二輪車。  
【請求項４】
前記発電装置(８)の下部は、凸状係合部(85)を備え、
前記スイングアーム(４)の前記平坦部(３)は、前記凸状係合部(85)が着脱可能な溝状凹部(31)を前記立壁(44、45)の一方に対し垂直方向に備え、
前記溝状凹部(31)は溝方向に前記立壁(44、45)がない側の端部断面(31ｃ)が溝方向に解放するとともに、前記凸状係合部(85)と前記溝状凹部(31)とは、溝方向視で位置が一致することを特徴とする請求項３に記載のスクータ型電動二輪車。
【請求項５】
前記発電装置(８)は、前記内燃機関(81)と前記交流発電機(83)と燃料タンク(84)とを備えて一体に構成されたことを特徴とする請求項４に記載のスクータ型電動二輪車。
【請求項６】
前記一方の立壁(44、45)は、前記溝状凹部(31)と平行な接続方向の電力入力コネクタ(46)を備え、
前記発電装置(８)は、前記平坦部(３)に載置され前記凸状係合部(85)が前記溝状凹部(31)に嵌挿された状態で、前記電力入力コネクタ(46)と接続し得る位置に電力出力コネクタ(86)を備えたことを特徴とする請求項４または請求項５に記載のスクータ型電動二輪車。
【請求項７】
前記発電装置(８)は、前記スイングアーム(４)に取付けられた状態において、内蔵された前記内燃機関(81)のクランク軸(81ａ)が前記平坦部(３)に対して垂直に配向し、前記クランク軸(81ａ)の下端側に取付けられた前記交流発電機(83)が前記内燃機関(81)のクランクケース(81ｂ)の下方に配置されたことを特徴とする請求項１ないし請求項６のいずれか一項に記載のスクータ型電動二輪車。
【発明の詳細な説明】
【技術分野】
【０００１】
本発明は、車載の発電装置の電力により走行するスクータ型電動二輪車に関する。
【背景技術】
【０００２】
車載の発電装置の発電電力とバッテリの蓄電電力によって走行駆動される従来のスクータ型電動二輪車の例が、例えば、下記特許文献１に示されている。同特許文献１に示されるものにおいては、車両前方の上方に位置する燃料タンクの近傍に発電装置が取り付けられている。
そのため、下記特許文献１に示されたものにおいては、車両の重心が高い位置となる。
また、バッテリは車両中央に設置され、走行駆動モータは前輪と後輪の軸芯に設けられるのでバッテリや発電装置との距離が大きく、相互を接続するハーネスが長くなるなどの課題がある。
【先行技術文献】
【特許文献】
【０００３】
【特許文献１】特開２０１５−０８５７９７号公報（図１〜図３）
【発明の概要】
【発明が解決しようとする課題】
【０００４】
本発明は上記従来技術に鑑みなされたものであり、車載の発電装置の発電電力によるバッテリの蓄電電力で走行駆動されるスクータ型電動二輪車において、車両の低重心化が図られるスクータ型電動二輪車を提供することを課題とする。
またさらに、走行駆動モータとバッテリや発電装置との距離を短縮できるスクータ型電動二輪車を提供することを課題とする。
【課題を解決するための手段】
【０００５】
上記の課題を解決するために、本発明は、
前端がピボット軸を介し車体フレームに対し上下揺動自在に支持され、後輪を支持するスイングアームを備え、同スイングアームの上方に着座シートを備え、内燃機関と交流発電機を内蔵した発電装置を備えるとともに、前記発電装置の発電電力によるバッテリの蓄電電力で、走行駆動モータが前記後輪を走行駆動するスクータ型電動二輪車において
前記スイングアームに前記走行駆動モータと前記発電装置が位置し、
前記走行駆動モータは前記スイングアームに取付けられ、前記ピボット軸の後方の前記スイングアームの上面は、前記発電装置が取付けられる平坦部を有し、前記発電装置は、前記着座シートの下方で前記スイングアーム上面に取付けられ、
前記バッテリと同バッテリに接続するパワーコントロールユニットは、前記車体フレームにおいて前記ピボット軸の支持部を有するロアフレーム上に搭載されたことを特徴とするスクータ型電動二輪車である。
【０００６】
上記構成によれば、
スイングアームに走行駆動モータと発電装置が位置するので、車両の低重心化が図られ、車体の安定化がなされる。特に発電装置が、着座シートの下方でスイングアーム上面に取付けられるので、車両の低重心化が図られ、車体の安定化がなされる。
また、走行駆動モータと発電装置がともに、ロアフレーム上のバッテリとパワーコントロールユニットに近いスイングアームに設けられたので、その間の距離を短縮でき、相互を接続するハーネス長が短縮される。
【０００８】
本発明の好適な実施形態によれば、
側面視で、前記ピボット軸と、前記スイングアームの上方に位置する前記車体フレームのシートレールの後部でリヤクッションが接続するブラケットと、前記スイングアームの後端部とに囲まれた空間に、前記発電装置が取付けられる。
そのため、発電装置がスイングアーム上で車両中心寄りに配置され、車両の低重心化と安定化に寄与する。
【００１０】
本発明の好適な実施形態によれば、
前記スイングアームは、前記平坦部の後方と車両幅方向一方側とに立壁を備え、前記平坦部の前方と車両幅方向他方側は立壁を備えず平坦である。
そのため、立壁によりスイングアームの強度が確保できるとともに、発電装置を立壁のない車両幅方向他方側、または前方から容易に取付け取外し可能とすることができ、また、立壁により発電装置の仮置き位置を規制できるので、メンテナンス性が向上する。
【００１１】
本発明の好適な実施形態によれば、
前記発電装置の下部は、凸状係合部を備え、
前記スイングアームの前記平坦部は、前記凸状係合部が着脱可能な溝状凹部を前記立壁の一方に対し垂直方向に備え、
前記溝状凹部は溝方向に前記立壁がない側の端部断面が溝方向に解放するとともに、前記凸状係合部と前記溝状凹部とは、溝方向視で位置が一致する。
そのため、スイングアームの平坦部の溝状凹部に、発電装置の凸状係合部を容易に装着でき、凸状係合部が溝状凹部に嵌挿された状態で発電装置の仮置き状態が得られ、調整操作が容易となり、発電装置のスイングアームへの取付け取外しが容易となる。
【００１２】
本発明の好適な実施形態によれば、
前記発電装置は、前記内燃機関と前記交流発電機と燃料タンクとを備えて一体に構成される。
そのため、燃料タンクを含め内燃機関と交流発電機とが発電装置として一体で取付け取出しが可能であり、メンテナンス性が向上する。なお、燃料容量の増備のため別の個所に第二燃料タンクを備えることもできる。
【００１３】
本発明の好適な実施形態によれば、
前記一方の立壁は、前記溝状凹部と平行な接続方向の電力入力コネクタを備え、
前記発電装置は、前記平坦部に載置され前記凸状係合部が前記溝状凹部に嵌挿された状態で、前記電力入力コネクタと接続し得る位置に電力出力コネクタを備える。
そのため、スイングアームの平坦部上を溝状凹部に沿って発電装置をスライドさせることで、スイングアーム側の電力入力コネクタと発電装置側の電力出力コネクタとを接続あるいは離脱させることが可能であり、発電装置取出し取付けにおいて電力回路の断接が同時に行えて、発電装置の着脱性、メンテナンス性の向上が図れる。
【００１４】
本発明の好適な実施形態によれば、
前記発電装置は、前記スイングアームに取付けられた状態において、内蔵された前記内燃機関のクランク軸が前記平坦部に対して垂直に配向し、前記クランク軸の下端側に取付けられた前記交流発電機が前記内燃機関のクランクケースの下方に配置される。
そのため、スイングアームに取付けられた発電装置において、重量物である交流発電機がクランクケースの下方に配置されたので、発電装置が安定するとともに、車両重心を下げることに寄与することができる。
【発明の効果】
【００１５】
本発明のスクータ型電動二輪車によれば、
スイングアームに走行駆動モータと発電装置が位置するので、車両の低重心化が図られ、車体の安定化がなされる。特に発電装置が、着座シートの下方でスイングアーム上面に取付けられるので、車両の低重心化が図られ、車体の安定化がなされる。
また、走行駆動モータと発電装置がともに、ロアフレーム上のバッテリとパワーコントロールユニットに近いスイングアームに設けられたので、その間の距離を短縮でき、相互を接続するハーネス長が短縮される。
【図面の簡単な説明】
【００１６】
【図１】本発明の一実施形態に係るスクータ型電動二輪車の左側面図である。
【図２】図１中のスイングアームの左側面図である。
【図３】図２中ＩＩＩ−ＩＩＩ矢視によるスイングアームの、一部断面とする平面図である。
【図４】図３中ＩＶ−ＩＶ矢視によるスイングアームの右側面図である。
【図５】図３、図４中のＶ矢視によるスイングアームの、前方斜め右上から見た斜視図である。
【図６】図４中のＶＩ部の、２点鎖線で示される発電装置を取出して示す、同方向で見た右側面概要図である。また、図７中ＶＩ−ＶＩ矢視に相当する。
【図７】図６中ＶＩＩ−ＶＩＩ矢視による、発電装置の前面図である。
【発明を実施するための形態】
【００１７】
以下、本発明に係るスクータ型電動二輪車の一実施形態について図１ないし図７に基づいて説明する。
図１は、本発明の一実施形態に係るスクータ型電動二輪車（以下、単に「電動二輪車」という）１の左側面図である。
なお、本明細書の説明および特許請求の範囲において、前後左右上下の向きは、本実施の形態に係る電動二輪車１の直進方向を前方とする通常の基準に従うものとし、図面において、ＦＲは前方を、ＬＨは左方を、ＲＨは右方を、ＵＰは上方を示すものとする。
【００１８】
図１に示されるように、電動二輪車１の車体フレーム２は、ヘッドパイプ20から下方に延びるダウンフレーム21と、ダウンフレーム21の下端部から左右車幅方向に分岐しながら若干下方に下がってから略水平に車両後方に延びる左右一対のロアフレーム22，22と、ロアフレーム22，22の後端部から斜め後ろ上がりに延びるシートレール23，23とからなる。
【００１９】
ヘッドパイプ20に回転可能に軸支されるステアリング軸11の上端に操向ハンドル12が設けられ、ステアリング軸11の下端部に連結される左右一対のフロントフォーク13，13が前下がりに延び、フロントフォーク13，13の下端部に前輪14が回転自在に軸支される。
一方、ロアフレーム22，22の後部における屈曲して斜め上方に延びる傾斜部にはピボットプレート（本発明における「支持部」）24，24を有し、左右のピボットプレート24，24間に架設されたピボット軸25を介して、スイングアーム４が前端を軸支されて、車体フレーム２に対して上下揺動自在に設けられている。
【００２０】
スイングアーム４は、ピボットプレート24，24にピボット軸25を介して支持された前端より後方の左側が車両後方に延出する前後方向に長尺のフレームである。スイングアーム４の後部には、後輪15が後車軸16に軸支されて回転可能に設けられており、後輪15はスイングアーム４に取付けられた走行駆動モータ７により走行駆動される。
スイングアーム４の後端部41と、スイングアーム４の上方に位置するシートレール23の後部のブラケット23ａとの間に、リヤクッション17が介装されている。
【００２１】
左右のロアフレーム22，22の水平部前端側22ａと水平部後端側22ｂには、下方に垂下し且つ左右のロアフレーム22，22を連結する前下連結パイプ26と後下連結パイプ27が固定されており、前下連結パイプ26と後下連結パイプ27との間にはロアフレーム22，22に略平行に床梁28が渡されて固定されている。
左右のロアフレーム22，22の間で、床梁28上には、バッテリ６が搭載される。
【００２２】
車体フレーム２は、車体カバー10で覆われる。
スイングアーム４の上方において、シートレール23を覆う車体カバー10のセンタカバー部10ａの上には、着座シート18が設けられる。
また、左右のロアフレーム22，22の上にステップ部10ｂ，10ｂが設けられ、ステップ部10ｂ，10ｂの間でバッテリ６の上方は、バッテリカバー部10ｃが覆っている。
バッテリカバー部10ｃとバッテリ６との間には、バッテリ６に接続するパワーコントロールユニット61が設けられている。
すなわち、バッテリ６とバッテリ６に接続するパワーコントロールユニット61は、車体フレーム２におけるピボット軸25の支持部であるピボットプレート24，24を有するロアフレーム22，22上に搭載されている。
【００２３】
図２は、図１中のスイングアーム４の左側面図である。スイングアーム４の前端側には、ピボット軸25を介して、ロアフレーム22，22のピボットプレート24，24軸支されるための左右のハンガブラケット４ａ，４ａが前方に突出して設けられている（図３、図５参照）。
車両左側後方に延出するスイングアーム４の後方寄りには、後輪15を走行駆動する走行駆動モータ７が取付けられ、走行駆動モータ７の左側方（図２図示手前側）はスイングアーム４に取付けられたモータカバー42で覆われている。
【００２４】
走行駆動モータ７のモータ出力軸71より後方のスイングアーム４の右側（図２図示向こう側）には後車軸16が軸支されており、スイングアーム４のモータ出力軸71と後車軸16との間には、後述の減速歯車機構５が設けられている。減速歯車機構５の右側方はスイングアーム４に取付けられた減速機カバー43で覆われている（図３参照）。
【００２５】
図３は、図２中ＩＩＩ−ＩＩＩ矢視によるスイングアーム４の、一部断面とする平面図である。
なお、図２においては、図示左方を車両前方としているが、図３においては逆に、図示右方を車両前方としている。
図３に示されるように、スイングアーム４の後部左側面に取付けられた走行駆動モータ７は、ステータコイルとロータとが径方向に配置されたラジアルギャップ型の交流電動機であり、モータ出力軸71にインナロータ72が一体に設けられ、インナロータ72の外周に環状のアウタステータ73が覆っている。
【００２６】
モータ出力軸71は左右車幅方向に指向しており、インナロータ72を囲うアウタステータ73は、スイングアーム４に固定されている。
アウタステータ73のステータ鉄心にはステータコイル73ａが巻回されている。
インナロータ72およびアウタステータ73はモータカバー42内に収容されている。
【００２７】
スイングアーム４の後部右側面には、減速機カバー43により覆われ、内部に減速歯車機構５が収納される減速機室50が形成される。
モータ出力軸71は、スイングアーム４を左右に挿通して嵌装されたベアリング50ａを右方に貫通して支持されるとともに、減速機室50内に突出し、その右端が減速機カバー43に嵌装されたベアリング50ｂに支持されている。
減速歯車機構５は、モータ出力軸71と後部の後輪15を支持する後車軸16との間に、中間軸51を介した２段減速機構として構成されている。
【００２８】
中間軸51に嵌着された中間大径ギヤ51ｂが、モータ出力軸71に形成された小径ギヤ71ａと噛合している。
中間軸51に形成された中間小径ギヤ51ａは、後車軸16の減速機室50内の後車軸大径ギヤ16ｂと噛合している。
【００２９】
後車軸16は、スイングアーム４と減速機カバー43にベアリング52ａ、52ｂを介して軸支され、後車軸16の減速機カバー43より右方に突出した部分に後輪15のホイール15ａが嵌着される。
したがって、モータ出力軸71の回転は、減速歯車機構５の小径ギヤ71ａと中間大径ギヤ51ｂの噛合、および中間小径ギヤ51ｂと後車軸大径ギヤ16ｂの噛合を介して２段減速されて後車軸16に伝達されて後輪15が回転される。
【００３０】
図３に示されるように（図５参照）、本実施形態の電動二輪車１のスイングアーム４は、前方に突出しピボット軸25を介して車体フレーム２に支持される左右のハンガブラケット４ａ，４ａの後方、スイングアーム４の前部の上面に、左右に幅広の平坦部３を有している。
なお、平坦部３の右側面には、右スイングアーム４ｂが締結されて後方に延出して、後車軸16の先端を軸支している。
【００３１】
平坦部３の上面には、内燃機関81と交流発電機83を内蔵した発電装置８が搭載され、発電装置８からの発電電力により充電されたバッテリ６の蓄電電力で、スイングアーム４に取付けられた走行駆動モータ７が後輪15を走行駆動する。
具体的には、バッテリ６はインバータ機能を有するパワーコントロールユニット61と接続しており、発電装置８で発電された交流電力は、パワーコントロールユニット61において直流電力に変換され、バッテリ６を充電するとともに、パワーコントロールユニット61は、バッテリ６の蓄電電力である直流電力を交流電力に変換し且つ運転者の操作に基づき速度制御を加え、走行駆動モータ７に電力を供給する。
【００３２】
したがって、スイングアーム４に走行駆動モータ７と発電装置８が位置し、発電装置８は、着座シート18の下方でスイングアーム４上面に取付けられるので、車両の低重心化が図られ、車体の安定化がなされる。
また、図１に示されるように、側面視で、ピボット軸25と、スイングアーム４の上方に位置するシートレール23の後部でリヤクッション17が接続するブラケット23ａと、スイングアーム４の後端部41とに囲まれた空間に、発電装置８が取付けられている。
そのため、発電装置８がスイングアーム４上で車両中心寄りに配置されるので、車両の低重心化と安定化に寄与している。
【００３３】
また、バッテリ６とパワーコントロールユニット61が、スイングアーム４のピボット軸25の支持部であるピボットプレート24，24を有するロアフレーム22，22上に搭載され、走行駆動モータ７と発電装置８はともにスイングアーム４上に設けられている。
そのため、走行駆動モータ７と発電装置８が、バッテリ６とパワーコントロールユニット61の近くに位置するので、その間の距離を短縮でき、図示しない相互を接続するハーネス長を短縮することができる（図１参照）。
【００３４】
発電装置８は、内燃機関81と交流発電機83と燃料タンク84を備えて一つの発電装置ケース80内に一体に構成されており、燃料タンク84を含め内燃機関81と交流発電機83とが発電装置８として一体で、スイングアーム４上に取付け取出しが可能であり、メンテナンス性が向上する。なお、燃料容量の増備のため別の個所に第二燃料タンクを備えることもできる。
【００３５】
図４は、図３中ＩＶ−ＩＶ矢視によるスイングアーム４の右側面図である。
また、図５は、図３、図４中のＶ矢視によるスイングアーム４の、前方斜め右上から見た斜視図である。
図３、図４、図５に示されるように、スイングアーム４はその前部の上面に、発電装置８が取付けられる左右に幅広の平坦部３を備えているが、平坦部３の後方と車両幅方向左側には、後部立壁（本発明における「立壁」）44と側部立壁（本発明における「立壁」）45を備えている。
そして、平坦部３の前方と車両幅方向右側は立壁を備えず平坦に形成されている。
【００３６】
したがって、後部立壁44と側部立壁45によってスイングアーム４の強度が確保できるとともに、発電装置８を、側部立壁45のない車両幅方向右側、または後部立壁44のない前方から略水平に平坦部３上を移動させながら容易に取付け取外し可能とすることができ、また、後部立壁44と側部立壁45により発電装置８を取付けの際に仮置き位置を規制できるので、作業の容易さと安全性が得られ、メンテナンス性が向上する。
なお、スイングアーム４は、側部立壁45を車両幅方向右側に設け、車両幅方向左側には立壁を設けず平坦に形成したものであってもよい。その場合は、発電装置８の後述の構成は、車両幅方向左側から平坦部３上に取付け取外しするように構成される。
【００３７】
図６は、図４中のＶＩ部の、２点鎖線で示される発電装置８を取出して示す、同方向で見た右側面概要図である。
図７は、図６中ＶＩＩ−ＶＩＩ矢視による、発電装置８の前面図である。
図６に示されるように、発電装置８は、一つの発電装置ケース80内に、内燃機関81と交流発電機83と燃料タンク84を備えて一体に構成されているが、発電装置８を平坦部３上に位置決めするために、発電装置８の下部、すなわち発電装置ケース80の下面には、下方に向けて突出し下端に拡径部85ａを有する凸状係合部85が、下方からボルト85ｂで締結されている。
【００３８】
また、図３、図４に示されるように、本実施形態では、スイングアーム４の平坦部３には、発電装置８の凸状係合部85が着脱可能な溝状凹部31が、側部立壁45に対し垂直方向に設けられている。
溝状凹部31は、後部立壁44に対し垂直方向に設けられてもよく、側部立壁45と後部立壁44の一方に対して垂直方向に設けられる。
また、本実施形態では、溝状凹部31は車幅方向に配向して２本設けられている。凸状係合部85は各溝状凹部31に対応して２カ所設けられている。
溝状凹部31は、凸状係合部85の拡径部85ａが上方に抜け出ないように拡径部85ａより溝幅の狭い上部溝部31ａと、拡径部85ａが溝方向に挿通できる溝幅の広い下部溝部85ｂとを備え、溝方向に側部立壁45がない側、すなわち車幅方向右端側の端部断面31ｃが溝方向に解放している。
そして、凸状係合部85と溝状凹部31とは、溝状凹部31の溝方向視で位置が一致している。
【００３９】
したがって、発電装置８の凸状係合部85を、車幅方向右端側の端部断面31ｃに差し込むようにして、発電装置８を平坦部３上に滑り込ませるように載せて、仮置き状態にすることができる。その場合、側部立壁45により発電装置８の仮置き位置が規制できて、作業の容易さと安全性が得られ、メンテナンス性が向上することは前述のとおりである。
そのように、スイングアーム４の平坦部３の溝状凹部31に、発電装置８の凸状係合部85を容易に装着でき、凸状係合部85が溝状凹部31に嵌挿された状態で発電装置８の仮置き状態が得られ、調整操作が容易となり、発電装置８のスイングアーム４への取付け取外しが容易となっている。
【００４０】
なお、図３に示すように、溝状凹部31の途中に、すべての発電装置８の凸状係合部85の拡径部85ａが上下に通過できる溝幅拡大箇所31ｄを設けて、適宜平坦部３上に乗せた発電装置８の凸状係合部85を、上方から溝状凹部31に嵌めることができるようにしてもよい。
【００４１】
また、図３中に２点鎖線で示すように、平坦部３の溝状凹部31を、車両前後方向に配向して設けて、発電装置８の凸状係合部85をそれに合わせた配置としても、同様の構成によって同様の効果が得られる。その場合の発電装置８の平坦部３への取付け取出し時のアクセスは車両前方向からとなる。
【００４２】
図３に示されるように、本実施形態において、スイングアーム４の側部立壁45の平坦部３側には、溝状凹部31と平行な接続方向の電力入力コネクタ46が備えられている。電力入力コネクタ46はスイングアーム４内を経て、パワーコントロールユニット61に接続しいている。
また、図３、図７に示されるように、発電装置８は、平坦部３に載置され凸状係合部85が溝状凹部31に嵌挿された状態で、電力入力コネクタ46と接続し得る位置に電力出力コネクタ86を備えている。
【００４３】
そのため、スイングアーム４の平坦部３上を溝状凹部31に沿って発電装置８をスライドさせることで、スイングアーム４側の電力入力コネクタ46と発電装置８側の電力出力コネクタ86とを接続あるいは離脱させることが可能であり、発電装置８の取出し取付けにおいて電力回路の断接が同時に行えて、発電装置８の着脱性、メンテナンス性が向上している。
また、図７に示されるように、発電装置ケース80には、発電装置８を溝状凹部31に沿ってスライドさせたり、電力出力コネクタ86の電力入力コネクタ46との着脱する操作に際の、操作員の把持のためのハンドル80ａが、電力出力コネクタ86と反対の側面に取付けられている。
【００４４】
なお、平坦部３上の溝状凹部31が、図３に２点鎖線で示したように車両前後方向に配向して設けた場合は、スイングアーム４側の電力入力コネクタ46は後部立壁44の平坦部３側に設けられる。
【００４５】
図６に示されるように、発電装置８は、スイングアーム４に取付けられた状態において、内蔵された内燃機関81のクランク軸81ａが平坦部３に対して垂直に配向されている。
また、クランク軸81ａの下端側には同軸心に交流発電機83が取付けられており、交流発電機83は内燃機関81のクランクケース81ｂの下方に配置されている。
そのように、スイングアーム４に取付けられた発電装置８において、重量物である交流発電機83がクランクケース81ｂの下方に配置されたので、発電装置８が安定するとともに、車両重心を下げることに寄与している。
【００４６】
また、発電装置８の凸状係合部85が溝状凹部31に嵌挿され、スイングアーム４側の電力入力コネクタ46と発電装置８側の電力出力コネクタ86とが接続した状態で、図６に略図示するように、発電装置８の発電装置ケース80とスイングアーム４とには、発電機側締結孔87とスイングアーム側締結孔88とが、相互の位置が一致する位置に設けられている。
本実施形態では、発電機側締結孔87を雌ねじ孔として、スイングアーム側締結孔88から挿入された締結ボルト89で、発電装置８はスイングアーム４の平坦部３上に締結固定されている。
なお、図６の図示は一例であって、締結位置、締結個所数は、実施態様に従って適宜に設定可能であり、スイングアーム側締結孔88を雌ネジ孔として、発電機側締結孔87から締結ボルト89で、相互を締結固定してもよい。
また、発電機側締結孔87とスイングアーム側締結孔88を、ボルトとナットにより締結してもよい。
【００４７】
以上、本発明のスクータ型電動二輪車の一実施形態について説明したが、本発明は前記した実施形態に限定されるものではなく、上述したもののほか、本発明の要旨の範囲でその他種々の変更が可能である。
なお、説明の便宜上、装置の左右配置は図示の実施形態に沿って説明したが、それに限定されず、左右配置が逆であってもよい。
【符号の説明】
【００４８】
１…電動二輪車（スクータ型電動二輪車）、２…車体フレーム、３…平坦部、４…スイングアーム、４ａ…ハンガブラケット、５…減速歯車機構、６…バッテリ、７…走行駆動モータ、８…発電装置、10…車体カバー、10ｃ…バッテリカバー部、15…後輪、16…後車軸、18…着座シート、22…ロアフレーム、22ａ…水平部前端側、22ｂ…水平部後端側、23…シートレール、24…ピボットプレート（本発明における「支持部」）、25…ピボット軸、26…前下連結パイプ、27…後下連結パイプ、28…床梁、31…溝状凹部、31ａ…上部溝部、31ｂ…下部溝部、31ｃ…端部断面、44…後部立壁（本発明における「立壁」）、45…側部立壁（本発明における「立壁」）、46…電力入力コネクタ、61…パワーコントロールユニット、71…モータ出力軸、80…発電装置ケース、80ａ…ハンドル、81…内燃機関、81ａ…クランク軸、81ｂ…クランクケース、83…交流発電機、84…燃料タンク、85…凸状係合部、85ａ…拡径部、85ｂ…ボルト、86…電力出力コネクタ、87…発電機側締結孔、88…スイングアーム側締結孔、89…締結ボルト
【図１】
0006970148.tif 000002
【図２】
0006970148.tif 000003
【図３】
0006970148.tif 000004
【図４】
0006970148.tif 000005
【図５】
0006970148.tif 000006
【図６】
0006970148.tif 000007
【図７】
0006970148.tif 000008